(57)【特許請求の範囲】
【請求項１】
一部を切り欠いて開口部を形成したリング状の支持部材と、この支持部材の開口部の一方の端部に形成された一方の軸孔と、前記支持部材の開口部の他方の端部に形成した凹部内に埋設固定された前記一方の軸孔と対応する部位に位置する他方の軸孔およびこの他方の軸孔の外周部に配置された係止片あるいは所定角度で配置された複数個の係合溝を有する軸受部材と、前記支持部材の開口部内に回転可能に取付けられる少なくとも２面以上の回転体と、この回転体の各面に設けられた宝石や装飾模様等の装飾体と、前記回転体の前記一方の軸孔と対応する部位に該一方の軸孔に回転可能に支持される一体あるいは軸孔を形成して固定した一方の軸と、前記回転体の前記軸受部材と対応する部位に形成した凹部内に埋設固定された前記他方の軸孔に回転可能に支持される他方の軸およびこの他方の軸の外周部に該軸受部材の係止片あるいは複数個の係合溝と係合する所定角度で配置された複数個の係合溝あるいは係止片を有する軸部材とからなることを特徴とする身飾品。
【請求項２】
一部を切り欠いて開口部を形成したリング状の支持部材と、この支持部材の開口部の一方の端部に一体あるいは軸孔を形成して固定した一方の軸と、前記支持部材の開口部の他方の端部に形成した凹部内に埋設固定された前記一方の軸と対応する部位に位置する他方の軸孔および該他方の軸孔の外周部に配置された係止片あるいは所定角度で配置された複数個の係合溝を有する軸受部材と、前記支持部材の開口部内に回転可能に取付けられる少なくとも２面以上の回転体と、この回転体の各面に設けられた宝石や装飾模様等の装飾体と、前記回転体の前記一方の軸と対応する部位に形成された該一方の軸を回転可能に支持する一方の軸孔と、前記回転体の前記軸受部材と対応する部位に形成した凹部内に埋設固定された前記他方の軸孔に回転可能に支持される他方の軸およびこの他方の軸の外周部に該軸受部材の係止片あるいは複数個の係合溝と係合する所定角度で配置された複数個の係合溝あるいは係合片を有する軸部材とからなることを特徴とする身飾品。
【請求項３】
一部を切り欠いて開口部を形成したリング状の支持部材と、この支持部材の開口部の一方の端部に形成された一方の軸孔と、前記支持部材の開口部の他方の端部に形成した凹部内に埋設固定された前記一方の軸孔と対応する部位に位置する他方の軸およびこの他方の軸の外周部に配置された係止片あるいは所定角度で配置された複数個の係合溝を有する軸部材と、前記支持部材の開口部内に回転可能に取付けられる少なくとも２面以上の回転体と、この回転体の各面に設けられた宝石や装飾模様等の装飾体と、前記回転体の前記一方の軸孔と対応する部位に該一方の軸孔に回転可能に支持される一体あるいは軸孔を形成して固定した一方の軸と、前記回転体の前記軸部材と対応する部位に形成した凹部内に埋設固定された前記他方の軸を回転可能に支持する他方の軸孔およびこの他方の軸孔の外周部に該軸部材の係止片あるいは複数個の係合溝と係合する所定角度で配置された複数個の係合溝あるいは係止片を有する軸受部材とからなることを特徴とする身飾品。
【請求項４】
一部を切り欠いて開口部を形成したリング状の支持部材と、この支持部材の開口部の一方の端部に一体あるいは軸孔を形成して固定した一方の軸と、前記支持部材の開口部の他方の端部に形成した凹部内に埋設固定された前記一方の軸と対応する部位に位置する他方の軸およびこの他方の軸の外周部に配置された係止片あるいは所定角度で配置された複数個の係合溝を有する軸部材と、前記支持部材の開口部内に回転可能に取付けられる少なくとも２面以上の回転体と、この回転体の各面に設けられた宝石や装飾模様等の装飾体と、前記回転体の前記一方の軸と対応する部位に該一方の軸を回転可能に支持する一方の軸孔と、前記回転体の前記軸部材と対応する部位に形成した凹部内に埋設固定された前記他方の軸を回転可能に支持する他方の軸孔およびこの他方の軸孔の外周部に該軸部材の係止片あるいは複数個の係合溝と係合する所定角度で配置された複数個の係合溝あるいは係止片を有する軸受部材とからなることを特徴とする身飾品。
【発明の詳細な説明】
【０００１】
【発明の属する技術分野】
本発明は指輪、ネックレス、ペンダント、イヤリング、ブレスレット、ブローチ、ネクタイピン、カフスボタン等の身飾品に関する。
【０００２】
【従来の技術】
従来、この種の身飾品はリングや鎖等の吊り下げ具に取付けられる支持部材に宝石を固定的に取付けている。
【０００３】
【発明が解決しようとする課題】
従来の支持部材に宝石を固定的に取付ける指輪、ネックレス、ペンダント、イヤリング、ブレスレット、ブローチ、ネクタイピン、カフスボタン等の身飾品は固定的なデザインであるため、ＴＰＯに合わせて複数個の身飾品が必要であるという欠点があるとともに、すぐに飽きてしまい、長期間使用されず不経済であるという欠点があった。
【０００４】
本発明は以上のような従来の欠点に鑑み、使用者の好みやＴＰＯに応じた身飾品を表面に出して楽しく使用し、短期間に飽きて使用されなくなるのを防止して経済的に使用することができるとともに、耐久性に優れた長期間故障することなく使用することができる身飾品を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は一部を切り欠いて開口部を形成したリング状の支持部材と、この支持部材の開口部の一方の端部に形成された一方の軸孔と、前記支持部材の開口部の他方の端部に形成した凹部内に埋設固定された前記一方の軸孔と対応する部位に位置する他方の軸孔およびこの他方の軸孔の外周部に配置された係止片あるいは所定角度で配置された複数個の係合溝を有する軸受部材と、前記支持部材の開口部内に回転可能に取付けられる少なくとも２面以上の回転体と、この回転体の各面に設けられた宝石や装飾模様等の装飾体と、前記回転体の前記一方の軸孔と対応する部位に該一方の軸孔に回転可能に支持される一体あるいは軸孔を形成して固定した一方の軸と、前記回転体の前記軸受部材と対応する部位に形成した凹部内に埋設固定された前記他方の軸孔に回転可能に支持される他方の軸およびこの他方の軸の外周部に該軸受部材の係止片あるいは複数個の係合溝と係合する所定角度で配置された複数個の係合溝あるいは係止片を有する軸部材とで身飾品を構成している。
【０００７】
【発明の実施の形態】
以下、図面に示す実施の形態により、本発明を詳細に説明する。
【０００８】
図１ないし図７に示す本発明の第１の実施の形態において、１は指輪として使用する本発明の身飾品で、この身飾品１は指に取付けることができる一部を切り欠いて開口部２を形成したリング状の支持部材３と、この支持部材３の開口部２に回転可能に取付けられた少なくとも２面以上、本実施の形態では長方体形状の回転体４とで構成されている。
【０００９】
前記支持部材３は図４に示すように弾性を有する、例えば１８金等の貴金属材やメッキ処理された金属材で開口部２を有するように形成された支持部材本体５と、この支持部材本体５の開口部２の一方の端部５ａに形成された一方の軸孔６と、前記支持部材本体５の開口部２の他方の端部５ｂに形成された長方形状の凹部７と、この凹部７内に圧入あるいは接着剤等によって埋設状態で固定された軸受部材８とで構成されている。
【００１０】
前記軸受部材８は発錆を防止することができるとともに、耐摩耗性に優れた、例えばチタンやステンレス材等で形成されたもので、図５に示すように前記凹部７に埋設される軸受部材本体９と、この軸受部材本体９に形成された前記一方の軸孔６と対応する部位に位置する他方の軸孔１０と、この他方の軸孔１０の外周部に配置された係止片１１とで構成されている。
【００１１】
前記回転体４は図６に示すように、例えば１８金、ホワイトゴールド等の金属材で長方体形状に形成された回転体本体１２と、この回転体本体１２の上下面の２面に取付けられた、ダイヤモンド、ルビー、サファイヤ、エメラルド、トパーズ、アメジスト等の宝石や真珠等の装飾体１３、１３と、前記回転体本体１２の前記一方の軸孔６と対応する側面に軸孔１４を形成して圧入固定された該一方の軸孔６に回転可能に支持される一方の軸１５と、前記回転体本体１２の前記軸受部材８と対応する側面に形成された長方形状の凹部１６と、この凹部１６内に圧入あるいは接着剤等によって埋設状態で固定された軸部材１７とで構成されている。
【００１２】
前記軸部材１７は発錆を防止することができるとともに、耐摩耗性に優れた、例えばチタンやステンレス材等で形成されたもので、図７に示すように前記凹部１６に埋設される軸部材本体１８と、この軸部材本体１８に形成された前記他方の軸孔１０と対応する部位に位置する該他方の軸孔１０に回転可能に支持される他方の軸１９と、この他方の軸１９の外周部に所定角度、本実施の形態では９０度で配置された前記係止片１１が係合される４個の係合溝２０、２０、２０、２０とで構成されている。
【００１３】
上記構成の身飾品１は、回転体４を一方の軸１５と他方の軸１９を支点に回転させることができるとともに、９０度回転させたところで係止片１１が係合溝２０、２０、２０、２０のいずれかに入り込み、その位置を係止させることができるので、使用者の好みやＴＰＯに合わせて合う装飾品１３、１３を表面に位置させることができる。この状態で、支持部材３内に指を差し込んで使用する。
【００１４】
【発明の異なる実施の形態】
次に、図８ないし図５２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図８ないし図１２に示す本発明の第２の実施の形態において、前記本発明の第１の実施の形態と主に異なる点は、他方の軸孔１０の外周部に４個の係合溝２０、２０、２０、２０を形成した軸受部材８Ａを支持部材本体５に固定した支持部材３Ａを用いるとともに、他方の軸孔１９の外周部に係止片１１を形成した軸部材１７Ａを回転体本体１２に固定した回転体４Ａを用いた点で、このように形成された支持部材３Ａと回転体４Ａを用いて構成した身飾品１Ａにしても、前記本発明の第１の実施の形態と同様な作用効果が得られる。
【００１６】
図１３ないし図１６に示す本発明の第３の実施の形態において、前記本発明の第１の実施の形態と主に異なる点は、支持部材本体５の開口部２の一方の端部５ａに軸孔１４を形成して一方の軸１５を圧入固定した支持部材３Ｂを用いるとともに、回転体本体１２の一方の側面に前記一方の軸１５を回転可能に支持する一方の軸孔６を形成した回転体４Ｂを用いた点で、このように形成された支持部材３Ｂと回転体４Ｂを用いて構成した身飾品１Ｂにしても、前記本発明の第１の実施の形態と同様な作用効果が得られる。
【００１７】
図１７および図１８に示す本発明の第４の実施の形態において、前記本発明の第２の実施の形態と主に異なる点は、支持部材本体５の開口部２の一方の端部５ａに軸孔１４を形成して一方の軸１５を圧入固定した支持部材３Ｃを用いるとともに、回転体本体１２の一方の側面に前記一方の軸１５を回転可能に支持する一方の軸孔６を形成した回転体４Ｃを用いた点で、このように形成された支持部材３Ｃと回転体４Ｃを用いて構成した身飾品１Ｃにしても、前記本発明の第２の実施の形態と同様な作用効果が得られる。
【００１８】
図１９および図２０に示す本発明の第５の実施の形態において、前記本発明の第１の実施の形態と主に異なる点は、支持部材本体５の凹部７に軸部材１７を埋設固定した支持部材３Ｄを用いるとともに、回転体本体１２の凹部１６に軸受部材８を埋設固定した回転体４Ｄを用いた点で、このように形成された支持部材３Ｄと回転体４Ｄを用いて構成した身飾品１Ｄにしても、前記本発明の第１の実施の形態と同様な作用効果が得られる。
なお、この実施の形態において、回転体本体１２に一方の軸孔６を形成し、支持部材本体５に一方の軸１５を圧入固定したものを用いてもよい。
【００１９】
図２１および図２２に示す本発明の第６の実施の形態において、前記本発明の第２の実施の形態と主に異なる点は、支持部材本体５の凹部７に軸部材１７Ａを埋設固定した支持部材３Ｅを用いるとともに、回転体本体１２の凹部１６に軸受部材８Ａを埋設固定した回転体４Ｅを用いた点で、このように形成された支持部材３Ｅと回転体４Ｅを用いて構成した身飾品１Ｅにしても、前記本発明の第２の実施の形態と同様な作用効果が得られる。
なお、この実施の形態において、回転体本体１２に一方の軸孔６を形成し、支持部材本体５に一方の軸１５を圧入固定したものを用いてもよい。
【００２０】
図２３ないし図２６に示す本発明の第７の実施の形態において、前記本発明の第１の実施の形態と主に異なる点は、正三角柱の角部を平坦に形成した形状の外周部が三面体形状の回転体本体１２Ａと、この回転体本体１２Ａの他方の側面に形成した凹部１６Ａに６０度毎に配置された６個の係合溝２０、２０、２０、２０、２０、２０が形成された軸部材１７Ｂを埋設固定した回転体４Ｆを用いた点で、このように形成された回転体４Ｆを用いて構成した身飾品１Ｆにしても、前記本発明の第１の実施の形態と同様な作用効果が得られる。
【００２１】
図２７ないし図３０に示す本発明の第８の実施の形態において、前記本発明の第１の実施の形態と主に異なる点は、四角柱の角部を平坦に形成した形状の外周部が四面形状の回転体本体１２Ｂと、この回転体本体１２Ｂの他方の側面に形成した凹部１６Ｂに４５度毎に配置された８個の係合溝２０、２０、２０、２０、２０、２０、２０、２０が形成された軸部材１７Ｃを埋設固定した回転体４Ｇを用いた点で、このように形成された回転体４Ｇを用いて構成した身飾品１Ｇにしても、前記本発明の第１の実施の形態と同様な作用効果が得られる。
【００２２】
図３１ないし図３３に示す本発明の第９の実施の形態において、前記本発明の第７の実施の形態と主に異なる点は、回転体本体１２Ａの三面に装飾模様等の装飾体１３Ａ、１３Ａ、１３Ａを形成するとともに、平坦に形成した角部に宝石や真珠等の装飾体１３、１３、１３を取付けた回転体４Ｈを用いた点で、このように形成された回転体４Ｈを用いて構成した身飾品１Ｈにしても、前記本発明の第７の実施の形態と同様な作用効果が得られる。
【００２３】
図３４ないし図３６に示す本発明の第１０の実施の形態において、前記本発明の第８の実施の形態と主に異なる点は、回転体本体１２Ｂの上下面に宝石や真珠等の装飾体１３、１３を取付けるとともに、両側面に装飾模様等の装飾体１３Ａ、１３Ａを形成した回転体４Ｉを用いた点で、このように形成された回転体４Ｉを用いて構成した身飾品１Ｉにしても、前記本発明の第８の実施の形態と同様な作用効果が得られる。
【００２４】
図３７および図３８に示す本発明の第１１の実施の形態において、前記本発明の第１の実施の形態と主に異なる点は、ハート形状のリング状に形成するとともに、鎖やチェーン等の吊り下げ具２１を取付ける取付け具２２を固定した支持部材３Ｆを用いた点で、このように形成された支持部材３Ｆを用いて身飾品１Ｊを構成することにより、ネックレスやペンダントとして使用することができる。
【００２５】
図３９および図４０に示す本発明の第１２の実施の形態において、前記本発明の第１の実施の形態と主に異なる点は、イヤリングのベース体となるように支持部材３Ｇを形成するとともに、該支持部材３Ｇを耳たぶへの取付け具２３を取付けた点で、このように形成された身飾品１Ｋはイヤリングとして使用することができる。
【００２６】
図４１および図４２に示す本発明の第１３の実施の形態において、前記本発明の第１の実施の形態と主に異なる点は、交互に取付けることができるリング部材２４に支持部材本体５を取付けた支持部材３Ｈを用いた点で、このように形成された支持部材３Ｈを用いた身飾品１Ｌはブレスレットとして使用することができる。
【００２７】
図４３および図４４に示す本発明の第１４の実施の形態において、前記本発明の第１の実施の形態と主に異なる点は、ブローチのベース体となるように支持部材本体５Ａを形成するとともに、該支持部材本体５Ａの背面に取付け具２５を取付けた支持部材３Ｉを用いた点で、このように形成された支持部材３Ｉを用いて構成した身飾品１Ｍはブローチとして使用することができる。
【００２８】
図４５および図４６に示す本発明の第１５の実施の形態において、前記本発明の第１の実施の形態と主に異なる点は、ネクタイピンの支持板形状に支持部材本体５Ｂを形成するとともに、該支持部材本体５Ｂの背面に挟着具２６を取付けた支持部材３Ｊを用いた点で、このように形成された支持部材３Ｊを用いて構成した身飾品１Ｎはネクタイピンとして使用することができる。
なお、本実施の形態において、支持部材をカフスボタンのベース板形状に形成することにより、カフスボタンとして使用することができる。
【００２９】
図４７ないし図４９に示す本発明の第１６の実施の形態において、前記本発明の第１の実施の形態と主に異なる点は、両端部を対向する半円弧状あるいはほぼコ字状、本発明の実施の形態ではほぼコ字状に形成して回転体収納部２７を形成したリング状の支持部材３Ｋを用い、該支持部材３Ｋの回転体収納部２７に回転体４を回転可能に取付けた点で、このように形成された支持部材３Ｋを用いて構成した身飾品１Ｏにしても、前記本発明の第１の実施の形態と同様な作用効果が得られる。
【００３０】
図５０ないし図５２に示す本発明の第１７の実施の形態において、前記本発明の第１の実施の形態と主に異なる点は、リング状の一方の支持部材３ａと、この一方の支持部材３ａの一部と一体成形された該一方の支持部材３ａと対応するリング状の他方の支持部材３ｂとからなる支持部材３Ｌと、この支持部材３Ｌの一方の支持部材３ａと他方の支持部材３ｂとの反接続部側に該一方の支持部材３ａと他方の支持部材３ｂの弾性力を利用して回転体４を回転可能に取付けた点で、このように構成した身飾品１Ｐにしても、前記本発明の第１の実施の形態と同様な作用効果が得られる。
【００３１】
図５３ないし図５５に示す本発明者が考えた身飾品１Ｑにおいて、前記本発明の第１の実施の形態と主に異なる点は、透孔状の回転体収納部２７Ａが形成されるとともに、取付け具２２が形成された支持部材３Ｍと、この支持部材３Ｍの回転体収納部２７Ａに凹部７内に外方へ突出させるコイルスプリングを用いた付勢スプリング２８を介してスライド移動可能に軸受部材８および凹部２９内に付勢スプリング３０を介して取付けられたスライド移動可能な軸１５を介して回転体４を回転可能に取付けた点で、このように構成した身飾品１Ｑはネックレスやペンダントとして使用することができる。
【００３２】
図５６および図５７に示す本発明者が考えた身飾品１Ｒにおいて、前記本発明の図５３ないし図５５に示す身飾品１Ｑと主に異なる点は、付勢スプリング２８Ａとして板スプリングを用いた点で、このように板スプリングを用いた付勢スプリング２８Ａで軸受部材８を外方へ突出するように付勢しても、同様な作用効果が得られる。
【００３３】
図５８ないし図６０に示す本発明者が考えた身飾品１Ｓにおいて、前記本発明の図５３ないし図５５に示す身飾品１Ｑと主に異なる点は、回転体４に該回転体４の一端部より挿入して先端部を他端部の外方へ突出させることができる軸挿入孔３１と、該回転体４の一端部に、スライド移動可能に軸部材１７を収納することができる軸部材収納凹部３２を形成し、支持部材３Ｍへの組付け時に軸１５と軸部材１７間の軸挿入孔３１に該軸部材１７を外方へ突出させる付勢スプリング３３を介装した点で、このように構成した身飾品１Ｓにして良い。
【００３４】
なお、前記本発明の異なる実施の形態では主に第１の実施の形態を基にして説明したが、本発明はこれに限らず、各実施の形態に使用された部品を組合わせて使用しても同様な作用効果が得られる。
【００３５】
【発明の効果】
以上の説明から明らかなように、本発明にあっては次に列挙する効果が得られる。
【００３６】
（１）一部を切り欠いて開口部を形成したリング状の支持部材と、この支持部材の開口部の一方の端部に形成された一方の軸孔と、前記支持部材の開口部の他方の端部に形成した凹部内に埋設固定された前記一方の軸孔と対応する部位に位置する他方の軸孔およびこの他方の軸孔の外周部に配置された係止片あるいは所定角度で配置された複数個の係合溝を有する軸受部材と、前記支持部材の開口部内に回転可能に取付けられる少なくとも２面以上の回転体と、この回転体の各面に設けられた宝石や装飾模様等の装飾体と、前記回転体の前記一方の軸孔と対応する部位に該一方の軸孔に回転可能に支持される一体あるいは軸孔を形成して固定した一方の軸と、前記回転体の前記軸受部材と対応する部位に形成した凹部内に埋設固定された前記他方の軸孔に回転可能に支持される他方の軸およびこの他方の軸の外周部に該軸受部材の係止片あるいは複数個の係合溝と係合する所定角度で配置された複数個の係合溝あるいは係止片を有する軸部材とで構成されているので、使用者の好みあるいはＴＰＯに合わせて装飾品を見えやすい部位に位置させて使用することができる。
したがって、楽しく気軽に装飾体をかえて使用することができる。
【００３７】
（２）前記（１）によって、回転体を回転させることによって、見える装飾体をかえることができるので、飽きることなく、長期間使用することができる。
【００３８】
（３）前記（１）によって、軸受部材と軸部材とを支持部材や回転体に固定させて使用しているので、該軸受部材や軸部材を耐摩耗性に優れた金属を用いることができ、耐久性の向上を図ることができ、使用中に回転体がガタついたり、所定部位で停止しなくなったりする不具合を確実に防止することができる。
【００３９】
（４）請求項２〜４も前記（１）〜（３）と同様な効果が得られる。
【図面の簡単な説明】
【図１】本発明の第１の実施の形態の正面図。
【図２】本発明の第１の実施の形態の平面図。
【図３】図２の３−３線に沿う拡大断面図。
【図４】本発明の第１の実施の形態の支持部材の説明図。
【図５】本発明の第１の実施の形態の軸受部材の説明図。
【図６】本発明の第１の実施の形態の回転体の説明図。
【図７】本発明の第１の実施の形態の軸部材の説明図。
【図８】本発明の第２の実施の形態の斜視図。
【図９】図８の９−９線に沿う拡大断面図。
【図１０】本発明の第２の実施の形態の軸受部材の説明図。
【図１１】本発明の第２の実施の形態の回転体の説明図。
【図１２】本発明の第２の実施の形態の軸部材の説明図。
【図１３】本発明の第３の実施の形態の斜視図。
【図１４】図１３の１４−１４線に沿う拡大断面図。
【図１５】本発明の第３の実施の形態の支持部材の説明図。
【図１６】本発明の第３の実施の形態の回転体の説明図。
【図１７】本発明の第４の実施の形態の斜視図。
【図１８】図１７の１８−１８線に沿う拡大断面図。
【図１９】本発明の第５の実施の形態の斜視図。
【図２０】図１９の２０−２０線に沿う拡大断面図。
【図２１】本発明の第６の実施の形態の斜視図。
【図２２】図２１の２２−２２線に沿う拡大断面図。
【図２３】本発明の第７の実施の形態の斜視図。
【図２４】図２３の２４−２４線に沿う拡大断面図。
【図２５】本発明の第７の実施の形態の回転体の正面図。
【図２６】本発明の第７の実施の形態の回転体の側面図。
【図２７】本発明の第８の実施の形態の斜視図。
【図２８】図２７の２８−２８線に沿う拡大断面図。
【図２９】本発明の第８の実施の形態の回転体の正面図。
【図３０】本発明の第８の実施の形態の回転体の側面図。
【図３１】本発明の第９の実施の形態の斜視図。
【図３２】図３１の３２−３２線に沿う拡大断面図。
【図３３】本発明の第９の実施の形態の回転体の斜視図。
【図３４】本発明の第１０の実施の形態の斜視図。
【図３５】図３４の３５−３５線に沿う拡大断面図。
【図３６】本発明の第１０の実施の形態の回転体の斜視図。
【図３７】本発明の第１１の実施の形態の斜視図。
【図３８】図３７の３８−３８線に沿う拡大断面図。
【図３９】本発明の第１２の実施の形態の斜視図。
【図４０】図３９の４０−４０線に沿う拡大断面図。
【図４１】本発明の第１３の実施の形態の斜視図。
【図４２】図４１の４２−４２線に沿う拡大断面図。
【図４３】本発明の第１４の実施の形態の斜視図。
【図４４】図４３の４４−４４線に沿う拡大断面図。
【図４５】本発明の第１５の実施の形態の斜視図。
【図４６】図４５の４６−４６線に沿う拡大断面図。
【図４７】本発明の第１６の実施の形態の斜視図。
【図４８】図４７の４８−４８線に沿う拡大断面図。
【図４９】支持部材の説明図。
【図５０】本発明の第１７の実施の形態の斜視図。
【図５１】図５０の５１−５１線に沿う拡大断面図。
【図５２】本発明の第１７の実施の形態の分解説明図。
【図５３】本発明者が考えたの身飾品の正面図。
【図５４】図５３の５４−５４線に沿う拡大断面図。
【図５５】本発明者が考えたの身飾品の分解斜視図。
【図５６】本発明者が考えたの異なる身飾品の正面図。
【図５７】図５６の５７−５７線に沿う拡大断面図。
【図５８】本発明者が考えたのさらに異なる身飾品の正面図。
【図５９】図５８の５９−５９線に沿う拡大断面図。
【図６０】本発明者が考えたの異なる身飾品の分解斜視図。
【符号の説明】
１、１Ａ〜１Ｓ：身飾品、  ２：開口部、
３、３Ａ〜３Ｍ：支持部材、
４、４Ａ〜４Ｉ：回転体、
５、５Ａ、５Ｂ：支持部材本体、
６：一方の軸孔、          ７：凹部、
８、８Ａ：軸受部材、      ９：軸受部材本体、
１０：他方の軸孔、        １１：係止片、
１２、１２Ａ、１２Ｂ：回転体本体、
１３、１３Ａ：装飾体、    １４：軸孔、
１５：一方の軸、
１６、１６Ａ、１６Ｂ：凹部、
１７、１７Ａ〜１７Ｃ：軸部材、
１８：軸部材本体、        １９：他方の軸、
２０：係合溝、            ２１：吊り下げ具、
２２：取付け具、          ２３：取付け具、
２４：リング部材、        ２５：取付け具、
２６：挟着部、
２７、２７Ａ：回転体収納部、
２８、２８Ａ：付勢スプリング、
２９：凹部、              ３０：付勢スプリング、
３１：軸挿入孔、          ３２：軸部材収納凹部、
３３：付勢スプリング。
【図１】
0004137199.tif 000002
【図２】
0004137199.tif 000003
【図３】
0004137199.tif 000004
【図４】
0004137199.tif 000005
【図５】
0004137199.tif 000006
【図６】
0004137199.tif 000007
【図７】
0004137199.tif 000008
【図８】
0004137199.tif 000009
【図９】
0004137199.tif 000010
【図１０】
0004137199.tif 000011
【図１１】
0004137199.tif 000012
【図１２】
0004137199.tif 000013
【図１３】
0004137199.tif 000014
【図１４】
0004137199.tif 000015
【図１５】
0004137199.tif 000016
【図１６】
0004137199.tif 000017
【図１７】
0004137199.tif 000018
【図１８】
0004137199.tif 000019
【図１９】
0004137199.tif 000020
【図２０】
0004137199.tif 000021
【図２１】
0004137199.tif 000022
【図２２】
0004137199.tif 000023
【図２３】
0004137199.tif 000024
【図２４】
0004137199.tif 000025
【図２５】
0004137199.tif 000026
【図２６】
0004137199.tif 000027
【図２７】
0004137199.tif 000028
【図２８】
0004137199.tif 000029
【図２９】
0004137199.tif 000030
【図３０】
0004137199.tif 000031
【図３１】
0004137199.tif 000032
【図３２】
0004137199.tif 000033
【図３３】
0004137199.tif 000034
【図３４】
0004137199.tif 000035
【図３５】
0004137199.tif 000036
【図３６】
0004137199.tif 000037
【図３７】
0004137199.tif 000038
【図３８】
0004137199.tif 000039
【図３９】
0004137199.tif 000040
【図４０】
0004137199.tif 000041
【図４１】
0004137199.tif 000042
【図４２】
0004137199.tif 000043
【図４３】
0004137199.tif 000044
【図４４】
0004137199.tif 000045
【図４５】
0004137199.tif 000046
【図４６】
0004137199.tif 000047
【図４７】
0004137199.tif 000048
【図４８】
0004137199.tif 000049
【図４９】
0004137199.tif 000050
【図５０】
0004137199.tif 000051
【図５１】
0004137199.tif 000052
【図５２】
0004137199.tif 000053
【図５３】
0004137199.tif 000054
【図５４】
0004137199.tif 000055
【図５５】
0004137199.tif 000056
【図５６】
0004137199.tif 000057
【図５７】
0004137199.tif 000058
【図５８】
0004137199.tif 000059
【図５９】
0004137199.tif 000060
【図６０】
0004137199.tif 000061